(57)【要約】【課題】エレベータのリニューアルする際に、新設の釣り合い錘枠に対して既存の錘ブロックが小さい場合でも既存の錘ブロックの再利用を図る。【解決手段】エレベータの釣り合い錘装置は、左右一対の縦枠と上下一対の横枠からなる釣り合い錘枠と、一対の横枠のいずれかに回転可能に連結された釣り合い錘シーブと、横枠の幅に合わせた幅で形成され、釣り合い錘枠の内部に積載された第１の錘ブロックと、第１の錘ブロックの幅よりも小さい幅で形成され、第１の錘ブロックと共に釣り合い錘枠の内部に積載された第２の錘ブロックと、第１の錘ブロックの幅と第２の錘ブロックの幅の差に対応する寸法で形成されると共に、一対の縦枠上にそれぞれ連結され、第２の錘ブロックを釣り合い錘枠の内部に固定する一対の固定具と、を備える。【選択図】図２
2013147336.tif 000002
【特許請求の範囲】
【請求項１】
左右一対の縦枠と上下一対の横枠からなる釣り合い錘枠と、
前記一対の横枠のいずれかに回転可能に連結された釣り合い錘シーブと、
前記横枠の幅に合わせた幅で形成され、前記釣り合い錘枠の内部に積載された第１の錘ブロックと、
前記第１の錘ブロックの幅よりも小さい幅で形成され、前記第１の錘ブロックと共に前記釣り合い錘枠の内部に積載された第２の錘ブロックと、
前記第１の錘ブロックの幅と前記第２の錘ブロックの幅の差に対応する寸法で形成されると共に、前記一対の縦枠上にそれぞれ連結され、前記第２の錘ブロックを前記釣り合い錘枠の内部に固定する一対の固定具と、
を備えることを特徴とするエレベータの釣り合い錘装置。
【請求項２】
前記一対の固定具を水平方向で連結する枠連結金具を更に備えることを特徴とする請求項１記載のエレベータの釣り合い錘装置。
【請求項３】
前記一対の固定具にそれぞれ連結され、前記第２の錘ブロックを上面側から下方向に押圧する抑え金具を更に備えることを特徴とする請求項１記載のエレベータの釣り合い錘装置。
【請求項４】
前記一対の固定具を水平方向に押圧し、前記釣り合い錘枠内における前記第２の錘ブロックの位置を調整するジャッキ機構を更に備えることを特徴とする請求項１乃至請求項３のいずれか一項記載のエレベータの釣り合い錘装置。
【発明の詳細な説明】
【技術分野】
【０００１】
本発明の実施形態は、エレベータの釣り合い錘装置に関する。
【背景技術】
【０００２】
近年、老朽化したエレベータのリニューアル工事が盛んに行われている。リニューアル工事の方法としては、既設エレベータの部品を完全に撤去してから、新しいロープ式マシンレスエレベータに入れ替え方法だけでなく、ホール用品、乗りかご、ガイドレールなど既設品を数多く再利用し、新規の据付用品を少なくすることで工事期間の短縮を図る方法も広く採用されている。
【先行技術文献】
【特許文献】
【０００３】
【特許文献１】特開２０００−３０２３５９号公報
【発明の概要】
【発明が解決しようとする課題】
【０００４】
しかし、既設品を再利用して機械室を有するロープ式エレベータを機械室の無いロープ式エレベータにリニューアルする場合には、既存の釣り合い錘装置内の錘ブロックは廃棄するのが一般的であった。この理由としては、従来の機械室を有するエレベータの場合、釣り合い錘枠の高さ方向にあまり制限が無いため、釣り合い錘枠の幅は重視されていなかったことが挙げられる。これに対し、機械室の無いエレベータにおいては、巻上機及び巻上機支持部材が昇降路内にある影響で釣り合い錘枠の高さ方向に制限が発生するため、釣り合い錘枠の高さを抑える代わりに横幅を広げることで重量を稼ぐ必要がある。したがって、新設の釣り合い錘枠の幅よりも既存の釣り合い錘枠の幅が小さくなっており、地震などが発生した場合には枠内に積載されている錘ブロックが釣り合い錘枠から脱落する可能性があるため、そのままでは再利用することが出来ないという問題があった。
【０００５】
そこで、本発明は、上記従来技術の問題に鑑み、エレベータのリニューアルする際に、新設の釣り合い錘枠に対して既存の錘ブロックが小さい場合でも既存の錘ブロックを再利用できるエレベータの釣り合い錘装置を提供することを目的とする。
【課題を解決するための手段】
【０００６】
本発明の一実施形態に係るエレベータの釣り合い錘装置は、左右一対の縦枠と上下一対の横枠からなる釣り合い錘枠と、前記一対の横枠のいずれかに回転可能に連結された釣り合い錘シーブと、前記横枠の幅に合わせた幅で形成され、前記釣り合い錘枠の内部に積載された第１の錘ブロックと、前記第１の錘ブロックの幅よりも小さい幅で形成され、前記第１の錘ブロックと共に前記釣り合い錘枠の内部に積載された第２の錘ブロックと、前記第１の錘ブロックの幅と前記第２の錘ブロックの幅の差に対応する寸法で形成されると共に、前記一対の縦枠上にそれぞれ連結され、前記第２の錘ブロックを前記釣り合い錘枠の内部に固定する一対の固定具と、を備える。
【図面の簡単な説明】
【０００７】
【図１】本発明の実施形態１におけるエレベータの構成例を示す模式図。
【図２】本発明の実施形態１に係るエレベータの釣り合い錘装置の構造を示す正面図。
【図３】本発明の実施形態１に係るエレベータの釣り合い錘装置の構造を示す上面図。
【図４】本発明の実施形態１の変形例に係るエレベータの釣り合い錘装置の構造を示す上面図。
【図５】本発明の実施形態２に係るエレベータの釣り合い錘装置の構造を示す正面図。
【図６】本発明の実施形態２に係るエレベータの釣り合い錘装置の構造を示す上面図。
【図７】本発明の実施形態３に係るエレベータの釣り合い錘装置の構造を示す正面図。
【図８】本発明の実施形態３に係るエレベータの釣り合い錘装置の構造を示す上面図。
【図９】本発明の実施形態４に係るエレベータの釣り合い錘装置の構造を示す正面図。
【図１０】本発明の実施形態４に係るエレベータの釣り合い錘装置の構造を示す上面図。
【発明を実施するための形態】
【０００８】
以下、本発明の実施形態に係るエレベータについて、図面を参照して詳細に説明する。尚、各図において同一箇所については同一の符号を付すとともに、重複した説明は省略する。
【０００９】
（実施形態１）
図１は、本発明の実施形態１におけるエレベータの構成例を示す模式図である。同図に示されるように、昇降路１の上部には、巻上機２、及びこれに隣接したそらせシーブ３が支持台（図示省略する）上に配設されており、これら巻上機２及びそらせシーブ３にメインロープ４が巻き掛けられている。メインロープ４の一端側は乗りかご５の上部に連結され、他端側は釣り合い錘装置６の上部に連結されている。このため、巻上機２の駆動によって乗りかご５と釣り合い錘装置６は逆方向へ昇降される。
【００１０】
図２は、実施形態１に係るエレベータの釣り合い錘装置６の構造を示す上面図であり、図３は、図２の矢視Ａからの上面図である。これらの図に示されるように、釣り合い錘装置６は、左右一対の縦枠１１ａと上下一対の横枠１１ｂからなる釣り合い錘枠１１、釣り合い錘枠１１を釣り合い錘装置用のガイドレール（図示省略する）上で案内する案内装置１２、釣り合い錘シーブ１３、第１の錘ブロック１４、第２の錘ブロック１５、追加ブラケットである一対の固定具１６を備えている。
【００１１】
釣り合い錘シーブ１３は、上部の横枠１１ｂと回転可能に連結されている。釣り合い錘装置６は、この釣り合い錘シーブ１３を介してメインロープ４で吊り下げられる。乗りかご５のタイプによっては、釣り合い錘シーブ１３は下部の横枠１１ｂに連結する。
【００１２】
第１の錘ブロック１４は、横枠１１ｂの幅（図２、図３の左右方向の寸法）に合わせた幅Ｗ１で形成され、釣り合い錘枠１１の内部に積載される。また、第２の錘ブロック１５は、第１の錘ブロック１４の幅Ｗ１よりも小さい幅Ｗ２で形成され、第１の錘ブロック１４と共に釣り合い錘枠１１の内部に積載される。この第２の錘ブロック１５は、リニューアル前のエレベータで使用されていた錘ブロックである。
【００１３】
一対の固定具１６は、第１の錘ブロック１４の幅Ｗ１と第２の錘ブロック１５の幅Ｗ２の差に基づいて形成されると共に、一対の縦枠１１ａ上にそれぞれ連結され、第２の錘ブロック１５を釣り合い錘枠１１の内部に固定する。尚、図３では第２の錘ブロック１５の端部が縦枠１１ａの凹部の中に収まらない寸法のため、固定具１６は縦枠１１ａの外側に固定されて中央方向に伸びるように設けられているが、図４に示されるように、第２の錘ブロック１５の両端が縦枠１１ａの凹部の中に収まる寸法の場合には、固定具１６としてサイズの小さいものを選択して縦枠１１ａの内側に固定することもできる。また、固定具１６の形状や寸法は、脱落防止の対象となる第２の錘ブロック１５の形状や寸法に合わせて適宜選択できると好適である。
【００１４】
以下、既存のエレベータに設置されていた釣り合い錘装置の錘ブロックを特別な加工無しに新設のエレベータに設置される釣り合い錘装置６の錘ブロックとしてそのまま再利用する方法を説明する。
【００１５】
先ず、既存のエレベータに設置されている釣り合い錘装置及び釣り合い錘装置用のガイドレールを昇降路１内から撤去する。  
次に、新設のエレベータの釣り合い錘枠１１の幅に対応するガイドレールを設置すると共に、ガイドレール内に案内装置１２を介して釣り合い錘枠１１を設置する。
【００１６】
次に、新設した釣り合い錘枠１１内に第１の錘ブロック１４を順次積載する。尚、第１の錘ブロック１４の積載数は後述する第２の錘ブロック１５を再利用可能な数に基づいて予め決定されるものとする。  
そして、釣り合い錘枠１１の一対の縦枠１１ａに固定具１６をボルト１７でそれぞれ連結して、第１の錘ブロック１４と第２の錘ブロック１５の幅の差を補った上で、既存の釣り合い錘装置の釣り合い錘枠から取り出した第２の錘ブロック１５を釣り合い錘枠１１内に順次積載する。
【００１７】
このように、本実施形態によれば、新設の釣り合い錘枠１１よりも幅の狭い既存の錘ブロック（第２の錘ブロック１５）に合わせた寸法で形成され、釣り合い錘枠１１の縦枠１１ａにボルト１７で連結された固定具１６を用いることによって、既存の錘ブロックは釣り合い錘枠１１の中央で堅固に固定される。また、既存の錘ブロックを再利用可能になるため、リニューアル工事のコストを抑えることが可能となる。更に、既存の錘ブロックの形状を問わずに再利用できる。
【００１８】
（実施形態２）
図５は、実施形態２に係るエレベータの釣り合い錘装置６の構造を示す正面図であり、図６は、図５の矢視Ｂからの上面図である。これらの図に示されるように、本実施形態に係るエレベータの釣り合い錘装置６は、上記実施形態１と比較して枠連結金具１８を更に備える点で異なっている。
【００１９】
枠連結金具１８は、釣り合い錘枠１１の一対の縦枠１１ａ上に連結されている一対の固定具１６同士を水平方向で連結する部材である。ここでは、枠連結金具１８は左右の固定具１６にボルト１９でそれぞれ連結されている。また、枠連結金具１８の垂直方向の長さは固定具１６の１／３程度となっているが、固定具１６と同等の長さにするなど任意に変更可能である。
【００２０】
このように、本実施形態のエレベータによれば、一対の固定具１６同士を連結することで釣り合い錘枠１１は実施形態１の場合よりも強固となり、地震時に釣り合い錘枠１１が乗りかご５や昇降路１などに衝突した際の影響を緩和することができる。すなわち、実施形態１の場合よりも新設の釣り合い錘枠１１から新設の錘ブロック（第１の錘ブロック１４）及び既存の錘ブロック（第２の錘ブロック１５）が脱落することを防止できる。
【００２１】
（実施形態３）
図７は、実施形態３に係るエレベータの釣り合い錘装置６の構造を示す正面図であり、図８は、図７の矢視Ｃからの上面図である。これらの図に示されるように、本実施形態の釣り合い錘装置６は、上記実施形態１と比較して抑え金具２０を更に備える点で異なっている。
【００２２】
抑え金具２０は、釣り合い錘枠１１の一対の縦枠１１ａ上に連結されている一対の固定具１６にそれぞれ連結され、ボルトなどの押圧部材２１によって第２の錘ブロック１５を上面側から下方向に押圧する部材である。
【００２３】
このように、本実施形態のエレベータによれば、固定具１６（追加ブラケット）に設けられた抑え金具２０によって再利用する既存の錘ブロック（第２の錘ブロック１５）の固定が強化される。すなわち、実施形態１の場合よりも新設の釣り合い錘枠１１から新設の錘ブロック（第１の錘ブロック１４）及び既存の錘ブロック（第２の錘ブロック１５）が浮き上がって脱落することを防止できる。
【００２４】
（実施形態４）
図９は、実施形態４に係るエレベータの釣り合い錘装置６の構造を示す正面図であり、図１０は、図９の矢視Ｄからの上面図である。これらの図に示されるように、本実施形態に係るエレベータの釣り合い錘装置６は、上記実施形態１と比較して固定具１６がを更に備える点で異なっている。
【００２５】
ジャッキ機構２２は、固定具１６の凹部内でスライドするスライド部２３を水平方向に押圧し、釣り合い錘枠１１内における第２の錘ブロック１５の位置を調整する部材である。尚、本実施形態においてジャッキ機構２２は釣り合い錘枠１１の両側にそれぞれ設けられているが、片側にのみ設けるとしても良い。
【００２６】
このように、本実施形態のエレベータによれば、固定具１６の背面に設けられたジャッキ機構２２によって固定具１６の一部を水平方向に押し出せるため、錘ブロックを適当な位置に積載した後に錘ブロックを釣り合い錘枠１１の中央に寄せることが可能となり、釣り合い錘装置６は偏荷重を受けることなくスムーズに走行することができる。
【００２７】
尚、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２８】
１…昇降路
２…巻上機
３…そらせシーブ
４…メインロープ
５…乗りかご
６…釣り合い錘装置
７…乗り場ドア
１１…釣り合い錘枠
１１ａ…縦枠
１１ｂ…横枠
１２…案内装置
１３…釣り合い錘シーブ
１４…第１の錘ブロック
１５…第２の錘ブロック
１６…固定具
１７…ボルト
１８…枠連結金具
１９…ボルト
２０…抑え金具
２１…押圧部材
２２…ジャッキ機構
【図１】
2013147336.tif 000003
【図２】
2013147336.tif 000004
【図３】
2013147336.tif 000005
【図４】
2013147336.tif 000006
【図５】
2013147336.tif 000007
【図６】
2013147336.tif 000008
【図７】
2013147336.tif 000009
【図８】
2013147336.tif 000010
【図９】
2013147336.tif 000011
【図１０】
2013147336.tif 000012